(57)【特許請求の範囲】
【請求項１】
被検体が挿入される開口部及び当該開口部に挿入された被検体の体内を表すデータを収集する収集手段を有する架台部と、
前記被検体が載置される天板を有し、当該天板を前記被検体とともに前記開口部に挿入する寝台部と、
前記架台部に設けられた複数のマイクロホンと、
前記複数のマイクロホンによって検出された音響信号を再生するスピーカーと、
前記開口部に挿入された前記天板の位置を示す天板位置情報を取得する天板位置取得手段と、
前記開口部に挿入された前記被検体の方向を示す被検体方向情報を取得する被検体方向取得手段と、
前記天板位置取得手段により取得された前記天板位置情報及び前記被検体方向取得手段により取得された前記被検体方向情報に基づいて、前記被検体の頭部から遠い位置にあるマイクロホンによって検出される音響信号が前記被検体の頭部に近い位置にあるマイクロホンによって検出される音響信号より小さくなるように各マイクロホンのゲインを制御する制御手段と、
を備えたことを特徴とする医用画像診断装置。
【請求項２】
前記天板位置取得手段は、撮像条件として設定された撮像部位を示す情報を前記天板位置情報として取得することを特徴とする請求項１に記載の医用画像診断装置。
【請求項３】
前記天板位置取得手段は、前記天板の移動量を示す情報を前記天板位置情報として取得することを特徴とする請求項１に記載の医用画像診断装置。
【請求項４】
撮像条件として設定された撮像シーケンスの種類に応じて、撮像シーケンスを実行することにより発生する雑音信号を各マイクロホンにより検出された音響信号から除去することで、前記スピーカーにより再生される信号の周波数を調整する再生周波数調整手段をさらに備えたことを特徴とする請求項１、２又は３に記載の医用画像診断装置。
【請求項５】
前記複数のマイクロホンのうち少なくとも一つのマイクロホンにより検出される音響信号の不規則な変化を検出する信号変化検出手段をさらに備え、
前記制御手段は、前記信号変化検出手段により前記音響信号の不規則な変化が検出された場合に、各マイクロホンのゲインを制御することを特徴とする請求項１〜４のいずれか一つに記載の医用画像診断装置。
【発明の詳細な説明】
【技術分野】
【０００１】
本発明は、医用画像診断装置に関する。
【背景技術】
【０００２】
従来、医療分野では、診断対象の被検体内を画像化する医用画像診断装置が一般的に用いられている。ここでいう医用画像診断装置には、例えば、磁気共鳴イメージング（ＭＲＩ：Magnetic  Resonance  Imaging）装置やＸ線ＣＴ（Computed  Tomography）装置、ＰＥＴ（Positron  Emission  Tomography）装置などがある。そして、かかる医用画像診断装置の中には、被険者と操作者との間で情報を伝達するための手段として、マイクロホンを有するものもある。
【０００３】
図１４は、従来の医用画像診断装置を説明するための図である。図１４は、医用画像診断装置の一例としてＭＲＩ装置を示している。図１４に示すように、ＭＲＩ装置は、架台部１と寝台部２とを有する。架台部１は、被検者Ｐが挿入される開口部と、開口部に挿入された被検体の体内を表すデータを収集する収集手段とを有する。また、寝台部２は、被検者Ｐが載置される天板３を有し、その天板３を被検者Ｐとともに架台部の開口部に挿入する。
【０００４】
そして、図１４に示すように、例えば、ＭＲＩ装置は、架台部１に設けられた２つのマイクロホン４及び５を有する。なお、通常、検査が行われる際には、診断対象となる撮像部位が架台部の中央付近に位置するように被検体が配置される。したがって、検査時における被検体の頭部の位置は撮像部位に応じて変わることになる。そのため、各マイクロホンは、天板３が移動する方向に沿ってそれぞれ異なる位置に設けられる。
【０００５】
ここで、各マイクロホンによって検出された信号を単純に合成して再生すると、被険者の頭部に近い方のマイクロホンによって検出された音声信号にもう一方のマイクロホンによって検出された雑音信号が混入してしまい、操作者が被検者の声を聞き取りにくくなる。そこで、例えば、２つのマイクロホンによって検出された信号を差動アンプに入力し、その差動アンプから出力される信号をスピーカーに入力することで、雑音成分を除いた音声成分のみの信号を再生する技術が提案されている（例えば、特許文献１参照）。
【先行技術文献】
【特許文献】
【０００６】
【特許文献１】実開平１−１７２８１１号公報
【発明の概要】
【発明が解決しようとする課題】
【０００７】
しかしながら、上述した従来の技術では、複数のマイクロホンが設けられる場合に、被検者が発する音声を明瞭に操作者に伝えることができないという課題があった。
【０００８】
例えば、２つのマイクロホンを医用画像診断装置に設ける場合には、広い範囲で音声信号を検出することができるように、各マイクロホンは離れた位置に設置される。この結果、各マイクロホンによって検出される音響信号には位相のずれが生じることになる。このような場合には、２つのマイクロホンによって検出された音響信号を差動アンプに入力しても、雑音成分が完全に相殺されずに残ってしまうことになる。したがって、前述した従来の技術では、複数のマイクロホンが設けられる場合に、被検者が発する音声を明瞭に操作者に伝えることができなかった。
【０００９】
本発明は、上記に鑑みてなされたものであって、複数のマイクロホンが設けられる場合でも被検者が発する音声を明瞭に操作者に伝えることができる医用画像診断装置を提供することを目的とする。
【課題を解決するための手段】
【００１０】
上述した課題を解決し、目的を達成するために、請求項１記載の本発明は、医用画像診断装置が、被検体が挿入される開口部及び当該開口部に挿入された被検体の体内を表すデータを収集する収集手段を有する架台部と、前記被検体が載置される天板を有し、当該天板を前記被検体とともに前記開口部に挿入する寝台部と、前記架台部に設けられた複数のマイクロホンと、前記複数のマイクロホンによって検出された音響信号を再生するスピーカーと、前記開口部に挿入された前記天板の位置を示す天板位置情報を取得する天板位置取得手段と、前記開口部に挿入された前記被検体の方向を示す被検体方向情報を取得する被検体方向取得手段と、前記天板位置取得手段により取得された前記天板位置情報及び前記被検体方向取得手段により取得された前記被検体方向情報に基づいて、前記被検体の頭部から遠い位置にあるマイクロホンによって検出される音響信号が前記被検体の頭部に近い位置にあるマイクロホンによって検出される音響信号より小さくなるように各マイクロホンのゲインを制御する制御手段とを備えたことを特徴とする。
【発明の効果】
【００１１】
請求項１記載の本発明によれば、複数のマイクロホンが設けられる場合でも被検者が発する音声を明瞭に操作者に伝えることができるという効果を奏する。
【図面の簡単な説明】
【００１２】
【図１】図１は、本実施例１に係るＭＲＩ装置の全体構成を示す図である。
【図２】図２は、本実施例１に係るＭＲＩ装置の詳細な構成を示す図である。
【図３】図３は、マイク設定情報記憶部により記憶されるマイク設定情報の一例を示す図である。
【図４】図４は、マイクゲイン制御部によるマイクロホンのゲイン制御を説明するための図（１）である。
【図５】図５は、マイクゲイン制御部によるマイクロホンのゲイン制御を説明するための図（２）である。
【図６】図６は、本実施例１に係るＭＲＩ装置によるマイクロホン制御の流れを示すフローチャートである。
【図７】図７は、天板の移動量を示す情報を天板位置情報として用いる場合のマイク設定情報の一例を示す図である。
【図８】図８は、マイクロホンの他の配置例を示す図である。本実施例２に係る計算機システムの詳細な構成を示す図である。
【図９】図９は、本実施例２に係る計算機システムの詳細な構成を示す図である。
【図１０】図１０は、周波数フィルタ記憶部により記憶される周波数フィルタを説明するための概念図である。
【図１１】図１１は、本実施例２に係るＭＲＩ装置によるマイクロホン制御の流れを示すフローチャートである。
【図１２】図１２は、本実施例３に係る計算機システムの詳細な構成を示す図である。
【図１３】図１３は、本実施例３に係るＭＲＩ装置によるマイクロホン制御の流れを示すフローチャートである。
【図１４】図１４は、従来の医用画像診断装置を説明するための図である。
【発明を実施するための形態】
【００１３】
以下に、本発明に係る医用画像診断装置の実施例を図面に基づいて詳細に説明する。なお、以下に示す実施例では、本発明をＭＲＩ装置に適用した場合について説明する。
【実施例１】
【００１４】
まず、本実施例１に係るＭＲＩ装置の構成について説明する。図１は、本実施例１に係るＭＲＩ装置１００の全体構成を示す図である。図１に示すように、ＭＲＩ装置１００は、架台部１０と、傾斜磁場電源２０と、送信部３０と、受信部４０と、シーケンス制御部５０と、寝台部６０と、寝台制御部７０と、計算機システム８０とを有する。
【００１５】
架台部１０は、被検者Ｐが挿入される開口部と、その開口部に挿入された被検者Ｐの体内を表すＭＲ信号を収集する収集手段とを有する。ここでいう収集手段は、静磁場中に置かれた被検者Ｐに高周波磁場を照射し、それにより被検者Ｐから発せられるＭＲ信号を収集する。架台部１０は、この収集手段として、静磁場磁石１１と、傾斜磁場コイル１２と、送信用ＲＦ（Radio  Frequency）コイル１３と、受信用ＲＦコイル１４とを有する。
【００１６】
静磁場磁石１１は、中空の円筒形状に形成され、円筒内の空間に一様な静磁場を発生する。この静磁場磁石１１としては、例えば、永久磁石や超伝導磁石などが用いられる。
【００１７】
傾斜磁場コイル１２は、中空の円筒形状に形成され、静磁場磁石１１の内側に配置される。この傾斜磁場コイル１２は、互いに直交するＸ，Ｙ，Ｚの各軸に対応する３つのコイルを有する。各コイルは、それぞれ後述する傾斜磁場電源２０から電流供給を受けて、Ｘ，Ｙ，Ｚの各軸に沿って磁場強度が変化する傾斜磁場を発生させる。なお、Ｚ軸方向は、静磁場と同方向とされる。
【００１８】
また、傾斜磁場コイル１２によって発生するＸ，Ｙ，Ｚ各軸の傾斜磁場は、例えば、スライス選択用傾斜磁場Ｇｓ、位相エンコード用傾斜磁場Ｇｅ及びリードアウト用傾斜磁場Ｇｒにそれぞれ対応する。スライス選択用傾斜磁場Ｇｓは、任意に撮像断面を決めるために利用される。位相エンコード用傾斜磁場Ｇｅは、空間的位置に応じてエコー信号（ＭＲ信号）の位相を変化させるために利用される。リードアウト用傾斜磁場Ｇｒは、空間的位置に応じてエコー信号の周波数を変化させるために利用される。
【００１９】
送信用ＲＦコイル１３は、傾斜磁場コイル１２の内側に配置され、送信部３０から高周波パルスの供給を受けて高周波磁場を発生する。
【００２０】
受信用ＲＦコイル１４は、傾斜磁場コイル１２の内側に配置され、送信用ＲＦコイル１３により発生した高周波磁場の影響によって被検者Ｐから発せられるエコー信号を受信する。そして、受信用ＲＦコイル１４は、受信したエコー信号を受信部４０へ出力する。
【００２１】
傾斜磁場電源２０は、傾斜磁場コイル１２に電流を供給する。送信部３０は、ラーモア周波数に対応する高周波パルスを送信用ＲＦコイル１３に送信する。受信部４０は、受信用ＲＦコイル１４から出力されるＭＲ信号をデジタル化することによって生データを生成し、生成した生データをシーケンス制御部５０へ送信する。
【００２２】
シーケンス制御部５０は、計算機システム８０から送信されるシーケンス情報に基づいて、傾斜磁場電源２０、送信部３０及び受信部４０を駆動することによって、被検者Ｐのスキャンを行う。また、シーケンス制御部５０は、被検者Ｐのスキャンを行った結果、受信部４０から生データが送信されると、その生データを計算機システム８０へ転送する。
【００２３】
なお、ここでいうシーケンス情報とは、シーケンス制御部５０が傾斜磁場コイル１２に供給する電源の強さや電源を供給するタイミング、送信部３０が送信用ＲＦコイル１３に送信するＲＦ信号の強さやＲＦ信号を送信するタイミング、受信部４０がエコー信号を検出するタイミングなど、スキャンを行うための手順を定義した情報である。
【００２４】
寝台部６０は、被検者Ｐが載置される天板６１を有し、その天板６１を被検者Ｐとともに架台部１０の開口部に挿入する。この寝台部６０は、長手方向が静磁場磁石１１の中心軸と平行になるように設置される。
【００２５】
寝台制御部７０は、計算機システム８０による制御のもと、寝台部６０を駆動して天板６１を長手方向及び上下方向へ移動する。
【００２６】
計算機システム８０は、ＭＲＩ装置１００の全体制御や、データ収集、画像再構成などを行う装置であり、インタフェース部８１と、入力部８２と、表示部８３と、記憶部８４と、画像再構成部８５と、制御部８６とを有している。
【００２７】
インタフェース部８１は、シーケンス制御部５０との間でやり取りされる各種信号の入出力を制御する。例えば、インタフェース部８１は、シーケンス制御部５０に対してシーケンス情報を送信し、シーケンス制御部５０から生データを受信する。また、インタフェース部８１は、生データを受信すると、受信した生データを被検者Ｐごとに記憶部８４に記憶させる。
【００２８】
入力部８２は、操作者からの各種指示や情報入力を受け付ける。例えば、入力部８２は、撮像条件の設定を操作者から受け付ける。この入力部８２としては、例えば、マウスやトラックボールなどのポインティングデバイス、モード切替スイッチ等の選択デバイス、あるいはキーボード等の入力デバイスが用いられる。
【００２９】
表示部８３は、操作者により参照される各種画像や、操作者から各種操作を受け付けるためのＧＵＩ（Graphical  User  Interface）を表示する。この表示部８３としては、例えば、液晶モニタやＣＲＴモニタなどの表示デバイスが用いられる。
【００３０】
記憶部８４は、シーケンス制御部５０から送信された生データや、後述する画像再構成部８５により生成された画像データを被検者Ｐごとに記憶する。なお、かかる記憶部８４により記憶される情報については後に詳細に説明する。
【００３１】
画像再構成部８５は、記憶部８４により記憶された生データに対して後処理すなわちフーリエ変換処理等の再構成処理を施すことによって、被検者Ｐ内を表す画像データを生成する。
【００３２】
制御部８６は、上述した機能部間での制御の移動や、機能部と記憶部との間のデータの受け渡しなどを行うことで、ＭＲＩ装置１００の全体制御を行う。この制御部８６は、ＣＰＵ（Central  Processing  Unit）及びメモリを有し、それらを用いて各種プログラムを実行させることで、ＭＲＩ装置１００が有する各部を制御する。例えば、制御部８６は、操作者によって設定された撮像条件に基づいてシーケンス情報を生成し、生成したシーケンス情報をシーケンス制御部５０に送信することで各種の撮像を実行する。
【００３３】
以上、本実施例１に係るＭＲＩ装置１００の全体構成について説明した。かかる構成のもと、本実施例１に係るＭＲＩ装置１００は、架台部１０に設けられた複数のマイクロホンと、各マイクロホンにより検出された音響信号を再生するスピーカーとをさらに備える。そして、本実施例１では、計算機システム８０が、架台部１０の開口部に挿入された天板６１の位置を示す天板位置情報と、開口部に挿入された被検者Ｐの方向を示す被検体方向情報とを取得する。また、計算機システム８０は、天板位置情報及び被検体方向情報に基づいて、被検者Ｐの頭部から遠い位置にあるマイクロホンによって検出される音響信号が被検者Ｐの頭部に近い位置にあるマイクロホンによって検出される音響信号より小さくなるように、各マイクロホンのゲインを制御する。
【００３４】
すなわち、本実施例１に係るＭＲＩ装置１００は、撮影時に天板６１の位置及び被検者Ｐの方向から被検者Ｐの頭部の位置を特定し、被検者Ｐの頭部から遠い位置にあるマイクロホンの感度を下げるようにしている。これにより、被検者Ｐの頭部から遠い位置にあるマイクロホンによって検出される雑音信号が低減するので、複数のマイクロホンが設けられる場合でも被検者が発する音声を明瞭に操作者に伝えることができるようになる。
【００３５】
次に、本実施例１に係るＭＲＩ装置１００の詳細な構成について説明する。図２は、本実施例１に係るＭＲＩ装置１００の詳細な構成を示す図である。なお、ここでは、架台部１０に設けられたマイクロホン及び計算機システム８０の構成を中心に説明する。
【００３６】
図２に示すように、ＭＲＩ装置１００は、架台部１０に設けられた第１のマイクロホン１５及び第２のマイクロホン１６を有する。各マイクロホンは、天板６１が移動する方向に沿ってそれぞれ異なる位置に設けられる。例えば、架台部１０において、寝台部６０から遠い側の端部に第１のマイクロホン１５が設けられ、寝台部６０に近い側の端部に第２のマイクロホン１６が設けられる。
【００３７】
第１のマイクロホン１５及び第２のマイクロホン１６は、それぞれ音響信号を検出して制御部８６に入力する。また、第１のマイクロホン１５及び第２のマイクロホン１６は、それぞれ、検出する音響信号のゲインを調整する機能を有する。
【００３８】
また、計算機システム８０は、第１のマイクロホン１５及び第２のマイクロホン１６により検出された音響信号を再生するスピーカー８７を有する。このスピーカー８７は、各マイクロホンにより検出された音響信号を制御部８６から入力し、入力した音響信号を再生する。
【００３９】
また、計算機システム８０に含まれる記憶部８４は、撮像条件記憶部８４ａと、マイク設定情報記憶部８４ｂとを有する。
【００４０】
撮像条件記憶部８４ａは、入力部８２を介して操作者から受け付けられた撮像条件を記憶する。例えば、撮像条件記憶部８４ａは、診断対象として撮像される部位を示す撮像部位情報や、撮像時に被検者Ｐが挿入される方向を示す被検体方向情報、撮像シーケンスの種類を示す情報、各種撮像パラメータの設定値などを撮像条件として記憶する。
【００４１】
ここで、撮像部位情報とは、例えば、頭部や腹部、下肢部、足部、下腹部などの情報である。また、被検体方向情報とは、例えば、撮像時に被検者Ｐが頭部側から架台部１０に挿入されることを示す情報、又は、撮像時に被検者Ｐが足部側から架台部１０に挿入されることを示す情報である。また、撮像シーケンスの種類とは、ＦＡＳＥ（Fast  Advanced  Spin  Echo）やＥＰＩ（Echo  Planar  Imaging）、ＦＳＥ（Fast  Spin  Echo）などである。また、撮像パラメータとは、例えば、繰り返し時間（ＴＲ：Repetition  Time）、エコー時間（ＴＥ：Echo Time）、反転回復時間（ＴＩ：Inversion  Time）、励起用高周波磁場パルスのフリップ角などである。
【００４２】
マイク設定情報記憶部８４ｂは、撮像時に第１のマイクロホン１５及び第２のマイクロホン１６に設定されるゲインを定義したマイク設定情報を記憶する。図３は、マイク設定情報記憶部８４ｂにより記憶されるマイク設定情報の一例を示す図である。図３に示すように、例えば、マイク設定情報記憶部８４ｂは、被検体方向と、撮像部位と、第１マイクゲインと、第２マイクゲインとを対応付けた情報をマイク設定情報として記憶する。
【００４３】
ここで、被検体方向は、撮像時に被検者Ｐが架台部１０に挿入される方向を示す被検体方向情報である。この被検体方向には、例えば図３に示すように、撮像時に被検者Ｐが頭部側から架台部１０に挿入されることを示す値「ＨＦ（Head  First）」や、撮像時に被検者が足部側から架台部１０に挿入されることを示す値「ＦＦ（Foot  First）」が設定される。
【００４４】
撮像部位は、診断対象として撮像される部位を示す撮像部位情報である。例えば図３に示すように、この撮像部位には、例えば図３に示すように、「頭部」や「腹部」、「下肢部」、「足部」、「下腹部」など、撮像の対象となる部位を示す値が設定される。
【００４５】
第１マイクゲインは、第１のマイクロホン１５に設定されるゲインを示す情報である。また、第２マイクゲインは、第２のマイクロホン１６に設定されるゲインを示す情報である。これら第１マイクゲイン及び第２マイクゲインには、例えば図３に示すように、各マイクロホンに設定されるゲインを示す値として、最小値「１」から最大値「１０」までの１０段階の値が設定される。
【００４６】
例えば、被検者Ｐが頭部側から架台部１０に挿入され、かつ、撮像部位が頭部であった場合には、被検者Ｐの頭部は架台部１０の中央付近に置かれる。そこで、マイク設定情報記憶部８４ｂには、例えば図３に示すように、被検体方向を「ＨＦ」、撮像部位を「頭部」、第１マイクゲイン及び第２マイクゲインをそれぞれ「１０」としたマイク設定情報が設定される。これにより、第１のマイクロホン１５の感度と第２のマイクロホンの感度とが同じになる。
【００４７】
また、例えば、被検者Ｐが足部側から架台部１０に挿入され、かつ、撮像部位が足部であった場合には、被検者Ｐの頭部は第２のマイクロホン１６に近い位置に置かれる。そこで、マイク設定情報記憶部８４ｂには、例えば図３に示すように、被検体方向を「ＦＦ」、撮像部位を「足部」、第１マイクゲインを「１」、第２マイクゲインを「１０」としたマイク設定情報が設定される。これにより、第２のマイクロホン１６の感度が第１のマイクロホン１５の感度よりも低くなる。
【００４８】
図２の説明にもどって、計算機システム８０に含まれる制御部８６は、天板位置取得部８６ａと、被検体方向取得部８６ｂと、マイクゲイン制御部８６ｃとを有する。
【００４９】
天板位置取得部８６ａは、架台部１０の開口部に挿入された天板６１の位置を示す天板位置情報を取得する。なお、本実施例１では、天板位置取得部８６ａは、撮像条件として設定された撮像部位情報を天板位置情報として取得する。具体的には、天板位置取得部８６ａは、操作者によって撮像条件が設定されたのちに、撮像条件記憶部８４ａにより記憶された撮像条件から撮像部位情報を取得する。そして、天板位置取得部８６ａは、取得した撮像位置情報を後述するマイクゲイン制御部８６ｃに送る。
【００５０】
被検体方向取得部８６ｂは、架台部１０の開口部に挿入された被検者Ｐの方向を示す被検体方向情報を取得する。具体的には、被検体方向取得部８６ｂは、操作者によって撮像条件が設定されたのちに、撮像条件記憶部８４ａにより記憶された撮像条件から被検体方向情報を取得する。そして、被検体方向取得部８６ｂは、取得した被検体方向情報を後述するマイクゲイン制御部８６ｃに送る。
【００５１】
マイクゲイン制御部８６ｃは、天板位置取得部８６ａにより取得された撮像部位情報及び被検体方向取得部８６ｂにより取得された被検体方向情報に基づいて、被検者Ｐの頭部から遠い位置にあるマイクロホンによって検出される音響信号が被検者Ｐの頭部に近い位置にあるマイクロホンによって検出される音響信号より小さくなるように各マイクロホンのゲインを制御する。
【００５２】
具体的には、マイクゲイン制御部８６ｃは、第１のマイクインタフェース８８を介して第１のマイクロホン１５に接続され、第２のマイクインタフェース８９を介して第２のマイクロホン１６に接続される。そして、マイクゲイン制御部８６ｃは、天板位置取得部８６ａから送られた撮像部位情報及び被検体方向取得部８６ｂから送られた被検体方向情報をそれぞれ受け付けると、マイク設定情報記憶部８４ｂに記憶されたマイク設定情報を参照して、受け付けた撮像部位情報及び被検体方向情報に対応する第１マイクゲイン及び第２マイクゲインそれぞれの設定値を取得する。また、マイクゲイン制御部８６ｃは、取得した設定値に基づいて、第１のマイクロホン１５及び第２のマイクロホン１６のゲインを調整する。
【００５３】
ここで、マイクゲイン制御部８６ｃによるマイクロホンのゲイン制御について説明する。図４及び５は、マイクゲイン制御部８６ｃによるマイクロホンのゲイン制御を説明するための図である。なお、ここでは、マイク設定情報記憶部８４ｂには、図３に示したマイク設定情報が記憶されていることとする。
【００５４】
例えば、図４に示すように、被検者Ｐが頭部側から架台部１０に挿入され、かつ、撮像部位が腹部であったとする。この場合には、マイクゲイン制御部８６ｃは、図３に示したマイク設定情報を参照して、第１マイクゲインの設定値「１０」と、第２マイクゲインの設定値「２」とをそれぞれ取得する。そして、マイクゲイン制御部８６ｃは、取得した各設定値に基づいて、第１のマイクロホン１５のゲインを「１０」に調整し、第２のマイクロホン１６のゲインを「２」に調整する。これにより、被検者Ｐの頭部から遠い位置にある第２のマイクロホン１６によって検出される音響信号が、被検者Ｐの頭部に近い位置にある第１マイクロホン１５によって検出される音響信号より小さくなる。
【００５５】
また、例えば、図５に示すように、被検者Ｐが足部側から架台部１０に挿入され、かつ、撮像部位が足部であったとする。この場合には、マイクゲイン制御部８６ｃは、図３に示したマイク設定情報を参照して、第１マイクゲインの設定値「１」と、第２マイクゲインの設定値「１０」とをそれぞれ取得する。そして、マイクゲイン制御部８６ｃは、取得した各設定値に基づいて、第１のマイクロホン１５のゲインを「１」に調整し、第２のマイクロホン１６のゲインを「１０」に調整する。これにより、被検者Ｐの頭部から遠い位置にある第１のマイクロホン１５によって検出される音響信号が、被検者Ｐの頭部に近い位置にある第２のマイクロホン１６によって検出される音響信号より小さくなる。
【００５６】
次に、本実施例１に係るＭＲＩ装置１００によるマイクロホン制御の流れについて説明する。図６は、本実施例１に係るＭＲＩ装置１００によるマイクロホン制御の流れを示すフローチャートである。
【００５７】
図６に示すように、本実施例１に係るＭＲＩ装置１００では、操作者によって撮像条件が設定されると（ステップＳ１１，Ｙｅｓ）、天板位置取得部８６ａが、架台部１０の開口部に挿入された天板６１の位置を示す天板位置情報として、撮像条件記憶部８４ａにより記憶された撮像条件から撮像部位情報を取得する（ステップＳ１２）。また、被検体方向取得部８６ｂが、架台部１０の開口部に挿入された被検者Ｐの方向を示す被検体方向情報を取得する（ステップＳ１３）。
【００５８】
その後、マイクゲイン制御部８６ｃが、天板位置取得部８６ａにより取得された撮像部位情報及び被検体方向取得部８６ｂにより取得された被検体方向情報に基づいて、被検者Ｐの頭部から遠い位置にあるマイクロホンによって検出される音響信号が被検者Ｐの頭部に近い位置にあるマイクロホンによって検出される音響信号より小さくなるように各マイクロホンのゲインを制御する（ステップＳ１４）。
【００５９】
上述したように、本実施例１では、天板位置取得部８６ａが、架台部１０の開口部に挿入された天板６１の位置を示す天板位置情報を取得する。また、被検体方向取得部８６ｂが、架台部１０の開口部に挿入された被検者Ｐの方向を示す被検体方向情報を取得する。そして、マイクゲイン制御部８６ｃが、天板位置取得部８６ａにより取得された天板位置情報及び被検体方向取得部８６ｂにより取得された被検体方向情報に基づいて、被検者Ｐの頭部から遠い位置にあるマイクロホンによって検出される音響信号が被検者Ｐの頭部に近い位置にあるマイクロホンによって検出される音響信号より小さくなるように各マイクロホンのゲインを制御する。したがって、本実施例１によれば、被検者Ｐの頭部から遠い位置にあるマイクロホンによって検出される雑音信号が低減するので、複数のマイクロホンが設けられる場合でも被検者が発する音声を明瞭に操作者に伝えることができる。
【００６０】
なお、上記実施例１では、天板６１の位置を示す天板位置情報として撮像部位情報を用いる場合について説明したが、本発明はこれに限られるものではない。例えば、撮像部位情報の代わりに天板の移動量を示す情報を用いてもよい。
【００６１】
図７は、天板の移動量を示す情報を天板位置情報として用いる場合のマイク設定情報の一例を示す図である。図７に示すように、例えば、マイク設定情報記憶部８４ｂは、被検体方向と、天板移動量と、第１マイクゲインと、第２マイクゲインとを対応付けた情報をマイク設定情報として記憶する。
【００６２】
ここで、天板移動量は、撮像時に移動された天板６１の移動量を示す情報である。この天板移動量には、検査前に天板６１に被検者Ｐが載置されるときの天板６１の位置を「０」とした場合に、その位置からの移動量を示す範囲が設定される。例えば、図７に示すように、天板移動量には、「１００≦ｄ≦１３０」、「１３０＜ｄ≦１８０」、「１８０＜ｄ≦２２０」のように天板移動量ｄの範囲を示す情報が設定される。
【００６３】
例えば、被検者Ｐが頭部側から架台部１０に挿入され、かつ、撮像部位が頭部であった場合の天板移動量ｄが１００≦ｄ≦１３０の範囲内であったとする。このような場合には、マイク設定情報記憶部８４ｂには、例えば図７に示すように、被検体方向を「ＨＦ」、天板移動量ｄを「１００≦ｄ≦１３０」、第１マイクゲイン及び第２マイクゲインをそれぞれ「１０」としたマイク設定情報が設定される。これにより、第１のマイクロホン１５の感度と第２のマイクロホン１６の感度とが同じになる。
【００６４】
また、例えば、被検者Ｐが足部側から架台部１０に挿入され、かつ、撮像部位が足部であった場合の天板移動量ｄが「１１０＜ｄ≦１４０」であったとする。このような場合には、マイク設定情報記憶部８４ｂには、例えば図７に示すように、被検体方向を「ＦＦ」、天板移動量ｄを「１１０＜ｄ≦１４０」、第１マイクゲインを「１」、第２マイクゲインを「１０」としたマイク設定情報が設定される。これにより、第１のマイクロホン１５の感度が第２のマイクロホン１６の感度よりも低くなる。
【００６５】
なお、撮影時には、被検体Ｐは、仰臥位又は腹臥位で天板６１に載置されるほか、撮像部位により、又は、傾斜磁場による磁場刺激を軽減するために、側臥位で天板６１に載置される場合もある。図８は、マイクロホンの他の配置例を示す図である。例えば、図８に示すように、架台部１０において、寝台部６０から遠い側の端部の左右に２つの第１のマイクロホン１５ａ及び１５ｂが設けられ、寝台部６０に近い側の端部の左右に２つの第２のマイクロホン１６ａ及び１６ｂが設けられていたとする。
【００６６】
この場合には、例えば、図８に示すように、マイクゲイン制御部８６ｃは、撮像部位情報及び被検体方向情報に基づいて、第１のマイクロホン１５ａ及び１５ｂ並びに第２のマイクロホン１６ａ及び１６ｂのゲインをそれぞれ調整する。すなわち、マイクゲイン制御部８６ｃは、被検体Ｐが側臥位で載置されている場合に、被検体Ｐの頭部に近い側にあり、かつ被検体Ｐの口に近い側にあるマイクロホンの感度が高くなるように各マイクロホンのゲインを調整する。
【００６７】
ところで、ＭＲＩ装置による撮像では、検査の種類に応じて、ＦＡＳＥやＥＰＩ、ＦＳＥなどの各種の撮像シーケンスが用いられる。そして、実際の撮像時には、撮像シーケンスごとに特有の雑音信号が発生することが知られている。そこで、例えば、撮像シーケンスの種類に応じて、撮像シーケンスを実行することにより発生する雑音信号を各マイクロホンにより検出された音響信号から除去するようにしてもよい。以下では、このような場合を実施例２として説明する。
【実施例２】
【００６８】
なお、本実施例２に係るＭＲＩ装置の全体構成は図１に示したものと同じであり、計算機システムの構成が異なるのみである。そこで、本実施例２では、計算機システムの構成を中心に説明する。図９は、本実施例２に係る計算機システム１８０の詳細な構成を示す図である。なお、ここでは説明の便宜上、図２に示した各部と同じ機能を有する機能部については、同一の符号を付すこととして詳細な説明を省略する。
【００６９】
図９に示すように、計算機システム１８０に含まれる記憶部１８４は、撮像条件記憶部８４ａと、マイク設定情報記憶部８４ｂと、周波数フィルタ記憶部１８４ｃとを有する。
【００７０】
周波数フィルタ記憶部１８４ｃは、第１のマイクロホン１５及び第２のマイクロホン１６により検出された音響信号から雑音信号を除去するための周波数フィルタを撮像シーケンスの種類ごとに記憶する。図１０は、周波数フィルタ記憶部１８４ｃにより記憶される周波数フィルタを説明するための概念図である。
【００７１】
図１０の上図は、被検者Ｐが発する音声信号Ｖ、ＦＡＳＥにより発生する雑音信号Ｓ1、ＥＰＩにより発生する雑音信号Ｓ2及びＦＳＥにより発生する雑音信号Ｓ3それぞれについて、信号の周波数と信号強度との関係を示している。図１０の上図に示すように、ＭＲＩ装置による撮像では、撮像シーケンスごとに特有の周波数を有する雑音信号が発生する。
【００７２】
そこで、周波数フィルタ記憶部１８４ｃは、例えば図１０の下図に示すように、ＦＡＳＥにより発生する雑音信号Ｓ1を除去するための周波数フィルタｆ1と、ＥＰＩにより発生する雑音信号Ｓ2を除去するための周波数フィルタｆ2と、ＦＳＥにより発生する雑音信号Ｓ3を除去するための周波数フィルタｆ3とをそれぞれ記憶する。これらの周波数フィルタを用いて、第１のマイクロホン１５及び第２のマイクロホン１６により検出された音響信号に対してフィルタ処理を施すことで、撮像シーケンスごとに特有の雑音信号を除去することができる。
【００７３】
図９の説明にもどって、計算機システム１８０に含まれる制御部１８６は、天板位置取得部８６ａと、被検体方向取得部８６ｂと、マイクゲイン制御部８６ｃと、再生周波数調整部１８６ｄとを有する。
【００７４】
再生周波数調整部１８６ｄは、撮像条件として設定された撮像シーケンスの種類に応じて、撮像シーケンスを実行することにより発生する雑音信号を各マイクロホンにより検出された音響信号から除去することで、スピーカー８７により再生される信号の周波数を調整する。この再生周波数調整部１８６ｄは、マイクゲイン制御部８６ｃとスピーカー８７との間に挿入される。
【００７５】
具体的には、再生周波数調整部１８６ｄは、操作者によって撮像条件が設定されたのちに、撮像条件記憶部８４ａにより記憶された撮像条件から撮像シーケンスの種類を取得する。また、再生周波数調整部１８６ｄは、周波数フィルタ記憶部１８４ｃにより記憶された周波数フィルタの中から、取得した撮像シーケンスの種類に対応する周波数フィルタを取得する。さらに、再生周波数調整部１８６ｄは、取得した周波数フィルタを用いてフィルタ処理を行うことで、マイクゲイン制御部８６ｃから送られる音響信号から雑音成分を除去する。そして、再生周波数調整部１８６ｄは、雑音成分が除去された信号をスピーカー８７に送る。これにより、雑音成分が除去された音声信号のみの音響信号がスピーカー８７によって再生されるようになる。
【００７６】
次に、本実施例２に係るＭＲＩ装置によるマイクロホン制御の流れについて説明する。図１１は、本実施例２に係るＭＲＩ装置によるマイクロホン制御の流れを示すフローチャートである。
【００７７】
図１１に示すように、本実施例２に係るＭＲＩ装置では、操作者によって撮像条件が設定されると（ステップＳ２１，Ｙｅｓ）、天板位置取得部８６ａが、架台部１０の開口部に挿入された天板６１の位置を示す天板位置情報として、撮像条件記憶部８４ａにより記憶された撮像条件から撮像部位情報を取得する（ステップＳ２２）。また、被検体方向取得部８６ｂが、架台部１０の開口部に挿入された被検者Ｐの方向を示す被検体方向情報を取得する（ステップＳ２３）。
【００７８】
さらに、再生周波数調整部１８６ｄは、撮像条件として設定された撮像シーケンスの種類に応じて、撮像シーケンスを実行することにより発生する雑音信号を各マイクロホンにより検出された音響信号から除去することで、スピーカー８７により再生される信号の周波数を調整する（ステップＳ２４）。
【００７９】
その後、マイクゲイン制御部８６ｃが、天板位置取得部８６ａにより取得された撮像部位情報及び被検体方向取得部８６ｂにより取得された被検体方向情報に基づいて、被検者Ｐの頭部から遠い位置にあるマイクロホンによって検出される音響信号が被検者Ｐの頭部に近い位置にあるマイクロホンによって検出される音響信号より小さくなるように各マイクロホンのゲインを制御する（ステップＳ２５）。
【００８０】
上述したように、本実施例２では、再生周波数調整部１８６ｄが、撮像条件として設定された撮像シーケンスの種類に応じて、撮像シーケンスを実行することにより発生する雑音信号を各マイクロホンにより検出された音響信号から除去することで、スピーカー８７により再生される信号の周波数を調整する。したがって、本実施例２によれば、被検者Ｐが発する音声をより明瞭に操作者に伝えることができる。
【００８１】
なお、上記実施例２では、撮像シーケンスを実行することにより発生する雑音信号を除去する場合について説明したが、本発明はこれに限られるものではない。例えば、被検者Ｐが音声を発した場合のみ、その音声を操作者に伝えるようにしてもよい。そこで、以下では、このような場合を実施例３として説明する。
【実施例３】
【００８２】
なお、本実施例３に係るＭＲＩ装置の全体構成は図１に示したものと同じであり、計算機システムの構成が異なるのみである。そこで、本実施例３では、計算機システムの構成を中心に説明する。図１２は、本実施例３に係る計算機システム１８０の詳細な構成を示す図である。なお、ここでは説明の便宜上、図２に示した各部と同じ機能を有する機能部については、同一の符号を付すこととして詳細な説明を省略する。
【００８３】
図１２に示すように、計算機システム２８０に含まれる制御部２８６は、天板位置取得部８６ａと、被検体方向取得部８６ｂと、マイクゲイン制御部２８６ｃと、信号変化検出部２８６ｅとを有する。
【００８４】
信号変化検出部２８６ｅは、第１のマイクロホン１５及び第２のマイクロホン１６のうち少なくとも一つのマイクロホンにより検出される音響信号が不規則に変化したか否かを検出する。なお、ここでは、第１のマイクロホン１５により検出される音響信号について、不規則な変化を検出する場合について説明する。
【００８５】
例えば、信号変化検出部２８６ｅは、第１のマイクロホン１５により検出された音響信号の大きさが所定の閾値を超えた場合に、音響信号に不規則な変化が生じたと検出する。または、信号変化検出部２８６ｅは、複数枚の断面画像が撮像される場合に、１枚目の断面画像が撮像される間に第１のマイクロホン１５により検出された音響信号のパターンを内部メモリに保存しておく。そして、信号変化検出部２８６ｅは、２枚目以降の断面画像が撮像される際には、内部メモリに保存されている音響信号のパターンと第１のマイクロホン１５により検出される音響信号のパターンとを比較し、パターンが一致しない場合に、音響信号に不規則な変化が生じたと検出する。いずれの例でも、信号変化検出部２８６ｅは、音響信号に不規則な変化が生じたと検出した場合には、その旨をマイクゲイン制御部２８６ｃに通知する。
【００８６】
マイクゲイン制御部２８６ｃは、天板位置取得部８６ａにより取得された撮像部位情報及び被検体方向取得部８６ｂにより取得された被検体方向情報に基づいて、被検者Ｐの頭部から遠い位置にあるマイクロホンによって検出される音響信号が被検者Ｐの頭部に近い位置にあるマイクロホンによって検出される音響信号より小さくなるように各マイクロホンのゲインを制御する。なお、本実施例３では、マイクゲイン制御部２８６ｃは、信号変化検出部２８６ｅにより音響信号が不規則に変化したことが検出された場合に、各マイクロホンのゲインを制御する。
【００８７】
具体的には、マイクゲイン制御部２８６ｃは、音響信号に不規則な変化が生じたことが信号変化検出部２８６ｅから通知されると、実施例１で説明したマイクゲイン制御部８６ｃと同様に、マイク設定情報記憶部８４ｂに記憶されたマイク設定情報に基づいて、第１のマイクロホン１５及び第２のマイクロホン１６のゲインを調整する。
【００８８】
次に、本実施例３に係るＭＲＩ装置によるマイクロホン制御の流れについて説明する。図１３は、本実施例３に係るＭＲＩ装置によるマイクロホン制御の流れを示すフローチャートである。
【００８９】
図１３に示すように、本実施例３に係るＭＲＩ装置では、操作者によって撮像条件が設定されると（ステップＳ３１，Ｙｅｓ）、天板位置取得部８６ａが、架台部１０の開口部に挿入された天板６１の位置を示す天板位置情報として、撮像条件記憶部８４ａにより記憶された撮像条件から撮像部位情報を取得する（ステップＳ３２）。また、被検体方向取得部８６ｂが、架台部１０の開口部に挿入された被検者Ｐの方向を示す被検体方向情報を取得する（ステップＳ３３）。
【００９０】
続いて、マイクゲイン制御部２８６ｃが、各マイクロホンのゲインを最小値に設定する（ステップＳ３４）。その後、信号変化検出部２８６ｅが、第１のマイクロホン１５及び第２のマイクロホン１６のうち少なくとも一つのマイクロホンにより検出される音響信号が不規則に変化したか否かを検出する（ステップＳ３５）。
【００９１】
ここで、信号変化検出部２８６ｅにより音響信号が不規則に変化したことが検出されるまでの間は、制御部２８６は、上記ステップＳ３４及びＳ３５の処理を繰り返し実行する（ステップＳ３６，Ｎｏ）。
【００９２】
そして、信号変化検出部２８６ｅにより音響信号が不規則に変化したことが検出された場合には（ステップＳ３６，Ｙｅｓ）、マイクゲイン制御部２８６ｃが、天板位置取得部８６ａにより取得された撮像部位情報及び被検体方向取得部８６ｂにより取得された被検体方向情報に基づいて、被検者Ｐの頭部から遠い位置にあるマイクロホンによって検出される音響信号が被検者Ｐの頭部に近い位置にあるマイクロホンによって検出される音響信号より小さくなるように各マイクロホンのゲインを制御する（ステップＳ３７）。
【００９３】
上述したように、本実施例３によれば、信号変化検出部２８６ｅが、第１のマイクロホン１５及び第２のマイクロホン１６のうち少なくとも一つのマイクロホンにより検出される音響信号が不規則に変化したか否かを検出する。また、マイクゲイン制御部２８６ｃが、信号変化検出部２８６ｅにより音響信号が不規則に変化したことが検出された場合に、各マイクロホンのゲインを制御する。したがって、本実施例３によれば、被検者Ｐが音声を発した場合のみ、その音声を操作者に伝えることができる。このことから、操作者は、被検者Ｐが音声を発していない間は他の作業に集中することができる。したがって、本実施例３によれば、操作者の作業環境を向上させることができる。
【００９４】
なお、上記実施例１〜３では、ＭＲＩ装置が２つのマイクロホンを有する場合について説明したが、本発明はこれに限られるものではない。例えば、ＭＲＩ装置が３つ以上のマイクロホンを有する場合でも、本発明を同様に適用することが可能である。その場合には、マイク設定情報記憶部８４ｂは、ＭＲＩ装置が有する全てのマイクロホンについてマイクゲインを記憶する。
【００９５】
また、上記実施例１〜３では、ＭＲＩ装置に設けられたマイクロホンが被検者Ｐの音声信号を検出する場合を中心に説明したが、本発明はこれに限られるものではない。例えば、被検者Ｐが音声を発する代わりに何かを叩いた場合に生じる音や、装置に異常が発生した場合に生じる音のように、各種の音響信号が生じる場合でも本発明を同様に適用することが可能である。
【００９６】
また、上記実施例１〜３では、ＭＲＩ装置に本発明を適用した場合について説明したが、本発明はこれに限られるものではない。例えばＸ線ＣＴ装置やＰＥＴ装置など、マイクロホンを有する他の医用画像診断装置についても、本発明を同様に適用することが可能である。
【符号の説明】
【００９７】
１００    ＭＲＩ装置
１０    架台部
１５    第１のマイクロホン
１６    第２のマイクロホン
６０    寝台部
６１    天板
８０    計算機システム
８４    記憶部
８４ａ    撮像条件記憶部
８４ｂ    マイク設定情報記憶部
８６    制御部
８６ａ    天板位置取得部
８６ｂ    被検体方向取得部
８６ｃ    マイクゲイン制御部８６ｃ
８７    スピーカー
【図１】
0005426407.tif 000002
【図２】
0005426407.tif 000003
【図３】
0005426407.tif 000004
【図４】
0005426407.tif 000005
【図５】
0005426407.tif 000006
【図６】
0005426407.tif 000007
【図７】
0005426407.tif 000008
【図８】
0005426407.tif 000009
【図９】
0005426407.tif 000010
【図１０】
0005426407.tif 000011
【図１１】
0005426407.tif 000012
【図１２】
0005426407.tif 000013
【図１３】
0005426407.tif 000014
【図１４】
0005426407.tif 000015